(57)【要約】【課題】  電源オフオン時間を監視することにより不正行為を識別し、不正行為による設定変更を防止する。【解決手段】  電源の投入の際に設定用スイッチが操作されることにより設定変更可能な状態になり、予め定められた手順に従い設定変更を行う制御部を備える遊技機において、内部動作に関する設定変更を行うための設定用スイッチが操作されたとき、電源電圧を監視し、電源オフから予め定められた時間経過した後に電源がオンになった場合に、設定変更可能なモードに移行する。電源オフから電源オンまでの時間が短いときはエラー報知を行う。【選択図】        図１
2005192723.tif 000002
【特許請求の範囲】
【請求項１】
内部動作に関する設定変更を行うための設定用スイッチと、電源の投入の際に前記設定用スイッチを操作することにより設定変更可能な状態になり、予め定められた手順に従い設定変更を行う制御部とを備える遊技機において、
電源電圧を監視し、電源のオフから予め定められた時間経過した後に電源がオンになった場合に前記制御部を設定変更可能な状態に制御する設定変更操作監視部を備えることを特徴とする遊技機。
【請求項２】
バッテリバックアップ等の手段により電源のオフの間も動作を継続する時計部と、電源オフの時刻を記憶する電源断時刻メモリとを備え、
前記設定変更操作監視部は、電源オフのときに前記時計部から時刻情報を読み取って当該時刻情報を前記電源断時刻メモリに書き込み、電源オンのときに前記時計部から時刻情報を読み取り、当該時刻情報を前記電源断時刻メモリの内容と比較し、この比較結果に基づき前記制御部を設定変更可能な状態に制御するかどうか判断する、ことを特徴とする請求項１記載の遊技機。
【請求項３】
内部動作に関する設定変更を行うための設定用スイッチと、前記設定用スイッチを操作することにより設定変更可能な状態になり、予め定められた手順に従い設定変更を行う制御部とを備える遊技機において、
前記設定用スイッチを監視し、予め定められた時間以上継続して前記設定用スイッチが操作された場合に前記制御部を設定変更可能な状態に制御する設定変更操作監視部を備えることを特徴とする遊技機。
【請求項４】
前記設定用スイッチが操作されたにもかかわらず前記制御部を設定変更可能な状態に制御しなかったとき、エラー報知がされることを特徴とする請求項１乃至請求項３いずれかに記載の遊技機。
【請求項５】
内部動作に関する設定変更が通常の設定変更の手順により可能な設定変更可能時間帯、又は、設定変更が不可能もしくは前記通常の設定変更の手順と異なる特別な手順によってのみ内部動作に関する設定変更が可能な設定変更不可時間帯の少なくともいずれかに関する情報を記憶する設定変更時間帯記憶部と、設定変更要求を受信した時刻と前記設定変更時間帯記憶部の情報を比較し、前記設定変更要求の受信時刻が設定変更不可時間帯に該当する場合に前記設定変更操作監視部による監視を実行させ、該当しない場合に前記制御部に設定変更処理を実行させる設定変更時間帯判断部とを備えることを特徴とする請求項１乃至請求項４いずれかに記載の遊技機。
【請求項６】
内部動作に関する設定変更を行うための設定用スイッチと、電源の投入の際に前記設定用スイッチを操作することにより設定変更可能な状態になり、予め定められた手順に従い設定変更を行う制御部とを備える遊技機の不正行為防止方法であって、
電源電圧を監視し、電源がオフになったかどうか判定するステップと、
電源がオフになったと判定されたとき、電源オフ時の時刻データを保存するステップと、
電源電圧を監視し、電源がオンになったかどうか判定するステップと、
電源がオンになったと判定されたとき、電源オフから電源オンまでの時間を求めるステップと、
求められた当該時間を予め定められた時間と比較するステップと、
当該時間が予め定められた時間よりも長いときに、設定変更処理を実行するステップとを備える遊技機の不正行為防止方法。
【請求項７】
内部動作に関する設定変更を行うための設定用スイッチと、前記設定用スイッチを操作することにより設定変更可能な状態になり、予め定められた手順に従い設定変更を行う制御部とを備える遊技機の不正行為防止方法において、
前記設定用スイッチの出力を監視し、前記設定用スイッチが操作されたかどうか判定するステップと、
前記設定用スイッチが操作されたと判定されたとき、操作開始時の時刻データを保存するステップと、
前記設定用スイッチの出力を監視し、前記設定用スイッチの操作が停止されたかどうか判定するステップと、
前記設定用スイッチの操作が停止されたと判定されたとき、操作開始から操作停止までの時間を求めるステップと、
求められた当該時間を予め定められた時間と比較するステップと、
当該時間が予め定められた時間よりも長いときに、設定変更処理を実行するステップとを備える遊技機の不正行為防止方法。
【請求項８】
内部動作に関する設定変更を行うための設定用スイッチと、電源の投入の際に前記設定用スイッチを操作することにより設定変更可能な状態になり、予め定められた手順に従い設定変更を行う制御部とを備える遊技機の不正行為防止方法をコンピュータに実行させるためのプログラムであって、
電源電圧を監視し、電源がオフになったかどうか判定するステップと、
電源がオフになったと判定されたとき、電源オフ時の時刻データを保存するステップと、
電源電圧を監視し、電源がオンになったかどうか判定するステップと、
電源がオンになったと判定されたとき、電源オフから電源オンまでの時間を求めるステップと、
求められた当該時間を予め定められた時間と比較するステップと、
当該時間が予め定められた時間よりも長いときに、設定変更処理を実行するステップとをコンピュータに実行させるプログラム。
【請求項９】
内部動作に関する設定変更を行うための設定用スイッチと、前記設定用スイッチを操作することにより設定変更可能な状態になり、予め定められた手順に従い設定変更を行う制御部とを備える遊技機の不正行為防止方法をコンピュータに実行させるためのプログラムであって、
前記設定用スイッチの出力を監視し、前記設定用スイッチが操作されたかどうか判定するステップと、
前記設定用スイッチが操作されたと判定されたとき、操作開始時の時刻データを保存するステップと、
前記設定用スイッチの出力を監視し、前記設定用スイッチの操作が停止されたかどうか判定するステップと、
前記設定用スイッチの操作が停止されたと判定されたとき、操作開始から操作停止までの時間を求めるステップと、
求められた当該時間を予め定められた時間と比較するステップと、
当該時間が予め定められた時間よりも長いときに、設定変更処理を実行するステップとをコンピュータに実行させるためのプログラム。
【発明の詳細な説明】
【技術分野】
【０００１】
この発明は、スロットマシン等の遊技機及び遊技機における不正行為防止方法並びにプログラムに関する。
【背景技術】
【０００２】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。
【０００３】
遊技機は、基本的に絵柄が揃ったときにメダルを払い出すものであるが、絵柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理については、所定の範囲内で設定可能であり、遊技機が設置されるホールなどにおいて店側により設定作業が行われる。設定変更は、遊技機の扉を開け、電源部に設けられた設定キースイッチをオンにし、設定変更スイッチを押す等の所定の操作を行うといった手順により行われた。
【発明の開示】
【発明が解決しようとする課題】
【０００４】
遊技者のごく一部に不正行為（いわゆるゴト行為）を行う者がいた。例えば、設定操作を不正に行うことにより、遊技機の設定を自己に有利なものに不正に変更する者がいた。遊技機の扉には鍵が設けられて容易に開閉できないようになっているとともに、設定キースイッチの操作のためにも鍵が必要であるが、不正行為を行う者は扉に穴を開けたり筐体の隙間を利用して、設定キースイッチの配線に工作を加えることにより不正に設定を行っているようである。
【０００５】
このように、従来の遊技機において鍵という機構面以外のセキュリティ対策がなかった。従来の遊技機において、サブ基板ではメイン基板（メイン基板とサブ基板は遊技機の制御部を構成する。詳しくは後述）からの設定変更コマンドを受信すれば、必ず設定変更状態に移行していた。そのため、不正行為により設定変更が要求されたときでも、通常の設定変更と同様の動作を行ってしまい、不正行為を防止することができなかった。
【０００６】
この発明は、斯かる不正行為を未然に防ぐことを可能にする遊技機及び遊技機における不正行為防止方法並びにプログラムを提供することを目的とする。
【課題を解決するための手段】
【０００７】
この発明に係る遊技機は、内部動作に関する設定変更を行うための設定用スイッチと、電源の投入の際に前記設定用スイッチを操作することにより設定変更可能な状態になり、予め定められた手順に従い設定変更を行う制御部とを備える遊技機において、
電源電圧を監視し、電源のオフから予め定められた時間経過した後に電源がオンになった場合に前記制御部を設定変更可能な状態に制御する設定変更操作監視部を備えることを特徴とするものである。
【０００８】
さらに、バッテリバックアップ等の手段により電源のオフの間も動作を継続する時計部と、電源オフの時刻を記憶する電源断時刻メモリとを備え、
前記設定変更操作監視部は、電源オフのときに前記時計部から時刻情報を読み取って当該時刻情報を前記電源断時刻メモリに書き込み、電源オンのときに前記時計部から時刻情報を読み取り、当該時刻情報を前記電源断時刻メモリの内容と比較し、この比較結果に基づき前記制御部を設定変更可能な状態に制御するかどうか判断するようにしてもよい。
【０００９】
この発明に係る遊技機は、内部動作に関する設定変更を行うための設定用スイッチと、前記設定用スイッチを操作することにより設定変更可能な状態になり、予め定められた手順に従い設定変更を行う制御部とを備える遊技機において、
前記設定用スイッチ（電源スイッチ、設定キースイッチ、設定スイッチの全部又は一部を含む）を監視し、予め定められた時間以上継続して前記設定用スイッチが操作された場合に前記制御部を設定変更可能な状態に制御する設定変更操作監視部を備えることを特徴とするものである。
【００１０】
好ましくは、前記設定用スイッチが操作されたにもかかわらず前記制御部を設定変更可能な状態に制御しなかったとき、エラー報知がされるように構成される。
【００１１】
さらに、内部動作に関する設定変更が通常の設定変更の手順により可能な設定変更可能時間帯、又は、設定変更が不可能もしくは前記通常の設定変更の手順と異なる特別な手順によってのみ内部動作に関する設定変更が可能な設定変更不可時間帯の少なくともいずれかに関する情報を記憶する設定変更時間帯記憶部と、設定変更要求を受信した時刻と前記設定変更時間帯記憶部の情報を比較し、前記設定変更要求の受信時刻が設定変更不可時間帯に該当する場合に前記設定変更操作監視部による監視を実行させ、該当しない場合に前記制御部に設定変更処理を実行させる設定変更時間帯判断部とを備えるようにしてもよい。
【００１２】
前記設定変更時間帯判断部は、設定変更不可時間帯に該当する場合には前記設定変更要求を不正なものであると判断してエラー処理を行うようにしてもよい。
【００１３】
前記設定変更時間帯記憶部は、好ましくは、遊技機が設置されているホールの営業時間に合わせた時間帯の情報を記憶する。前記設定変更時間帯記憶部の情報は、曜日、年月日などのカレンダー情報を含むようにしてもよい。
【００１４】
前記設定変更時間帯記憶部は、電源投入時又は通常の設定変更の手順により設定変更処理を実行した時を基準として予め定められた時間を設定変更不可時間帯として記憶するようにしてもよい。このようにすれば、正規に設定変更を行った後は、予め定められた時間を経過しないと設定変更できないか、あるいは、本発明による設定変更操作監視が実行されるので不正行為による設定変更は困難になる。予め定められた時間の計測にはタイマーなどを用いる。
【００１５】
この発明は、内部動作に関する設定変更を行うための設定用スイッチと、電源の投入の際に前記設定用スイッチを操作することにより設定変更可能な状態になり、予め定められた手順に従い設定変更を行う制御部とを備える遊技機の不正行為防止方法であって、
電源電圧を監視し、電源がオフになったかどうか判定するステップと、
電源がオフになったと判定されたとき、電源オフ時の時刻データを保存するステップと、
電源電圧を監視し、電源がオンになったかどうか判定するステップと、
電源がオンになったと判定されたとき、電源オフから電源オンまでの時間を求めるステップと、
求められた当該時間を予め定められた時間と比較するステップと、
当該時間が予め定められた時間よりも長いときに、設定変更処理を実行するステップとを備えるものである。
【００１６】
この発明は、内部動作に関する設定変更を行うための設定用スイッチと、前記設定用スイッチを操作することにより設定変更可能な状態になり、予め定められた手順に従い設定変更を行う制御部とを備える遊技機の不正行為防止方法において、
前記設定用スイッチの出力を監視し、前記設定用スイッチが操作されたかどうか判定するステップと、
前記設定用スイッチが操作されたと判定されたとき、操作開始時の時刻データを保存するステップと、
前記設定用スイッチの出力を監視し、前記設定用スイッチの操作が停止されたかどうか判定するステップと、
前記設定用スイッチの操作が停止されたと判定されたとき、操作開始から操作停止までの時間を求めるステップと、
求められた当該時間を予め定められた時間と比較するステップと、
当該時間が予め定められた時間よりも長いときに、設定変更処理を実行するステップとを備えるものである。
【００１７】
この発明は上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１８】
また、電話回線等の有線通信媒体、マイクロ波回線等の無線通信媒体等の通信媒体を含む。インターネットもここでいう通信媒体に含まれる。
【００１９】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００２０】
この発明によれば、電源オフオン時間や設定スイッチの操作時間を監視することにより不正行為を識別し、不正行為による設定変更を防止することができる。
【発明を実施するための最良の形態】
【００２１】
発明の実施の形態１．
この発明の実施の形態に係るスロットマシン及びその不正行為の防止方法について図面を参照して説明する。
【００２２】
図１は前扉を閉めた状態を示すスロットマシンの正面図、図２は前扉を１８０度開いた状態を示すスロットマシンの正面図を示す。
【００２３】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００２４】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２５】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２６】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２７】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチ１４０によりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２８】
図３は遊技機の電源部２０５のパネルの詳細を示す。
【００２９】
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ２０５４は設定を有効にするためのスイッチであり、設定変更／リセットスイッチ２０５５は設定変更を行ったり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００３０】
図４は発明の実施の形態１に係るスロットマシンの機能ブロック図を示す。
図４において、２００は制御部である。具体的には、制御部２００は後述のメイン基板とサブ基板により構成される。図４の制御部２００はメイン基板とサブ基板の全体又はメイン基板、サブ基板それぞれを意味するものであって、以下に述べる設定変更処理部２００ａ乃至タイマー２００ｃはメイン基板、サブ基板のいずれ又は両方にあってもよい。２０２はスタートスイッチ１３４やストップスイッチ、ベットスイッチなどのスイッチからなる操作部である。２０３は三個の回転リールからなるリールユニットである。２０５は各部に電源を供給する電源部である。
【００３１】
２００ａは設定変更コマンドを受けたときに所定の手順に従って設定変更を行う設定変更処理部である。２００ｂは設定変更に係わる操作（電源のオンオフ操作つまり電源スイッチ２０５１の操作、設定キースイッチ２０５４の操作、設定スイッチ２０５５の操作）を監視する設定変更操作監視部である。２００ｃはタイマー（リアルタイムクロック）であり、計時情報や時刻情報又は時刻情報と日付カレンダー情報を出力する。リアルタイムクロック２００ｃはバッテリバックアップが施され、電源オフの間でも動作を継続している。リアルタイムクロック２００ｃの出力により何らかの操作が行われた日付や曜日、時刻を判定することができる。
【００３２】
図５は設定変更操作監視部２００ｂ、タイマー（リアルタイムクロック）２００ｃ等をサブ基板２００−２に設けた例を示す。２００ｄは電源オフのときの時刻を記憶する電源断時刻メモリである。電源断時刻メモリ２００ｄはバッテリバックアップされているか、あるいはＥＥＰＲＯＭなどの不揮発性メモリで構成されていて、電源がオフになっても時刻情報を保持し続ける。２００ｅは設定変更操作監視部２００ｂにより設定変更操作が所定の条件を満たしていないと判定されたとき、エラーを報知するエラー報知部である。
【００３３】
スロットマシン１００は、その主要な処理装置としてメイン基板２００−１（第１処理部）とこれからコマンドを受けて動作するサブ基板２００−２（第２処理部）とを備える。
【００３４】
メイン基板２００−１は、遊技者の操作を受けて内部抽選を行ったり、リールの回転・停止やメダルの払い出しなどの処理を行うためのものである。メイン基板２００−１は、予め設定されたプログラムに従って制御動作を行うＣＰＵと、前記プログラムを記憶する記憶手段であるＲＯＭおよび処理結果などを一時的に記憶するＲＡＭを含む。前述したように、本遊技機においてはＲＡＭの一部又は全部についてバッテリなどのバックアップ電源が用意されていて、この場合は電源断でもデータは失われない。
【００３５】
サブ基板２００−２は、メイン基板２００−１からコマンド信号を受けて内部抽選の結果を報知したり各種演出を行うためのものである。サブ基板２００−２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。
【００３６】
サブ基板２００−２はメイン基板２００−１からコマンドをうけ、これに従って演出等の処理を行う。コマンドの流れはメイン基板２００−１からサブ基板２００−２への一方のみであり、逆にサブ基板２００−２からメイン基板２００−１へコマンド等が出されることはない。
【００３７】
図６は発明の実施の形態１に係る遊技機における内部設定処理フローチャートである。以下、この図に基づき本遊技機の動作について説明する。
【００３８】
入賞確率テーブルを選択する内部設定を変更するためには以下の手順が必要である。
Ｓ１：電源をオフにする。いったん電源をオフにしてから電源を再投入すると、制御部はそのときの設定スイッチの状態を見に行き、当該状態に応じて設定変更処理を行う。
Ｓ２：設定キースイッチをオンにする。通常はオフである。
【００３９】
Ｓ３：電源スイッチをオンにする。これにより遊技機に電源が供給される。設定キースイッチがオンであるので、設定変更コマンドが出力される。
Ｓ４：設定変更コマンドを受信したかどうか判断し、受信したとき（ＹＥＳ）はＳ５の処理に進む。受信しなかったとき（ＮＯ）は設定変更モードに移行することなく、Ｓ１５の通常遊技処理に進む。
【００４０】
Ｓ５：設定変更の監視を行っているとき（ＹＥＳ）はＳ６の処理に進む。監視を行っていないとき（ＮＯ）は、Ｓ１０の処理に進みすぐに設定変更モードに移行する（従来の遊技機と同じ）。このように監視処理のオンオフを判断するのは、利用者（ホール）によって本監視機能を使用するかどうか選択可能とするためである。
【００４１】
Ｓ６：電源スイッチ、設定キースイッチ又は設定変更スイッチ（これらの一部又は全部）の操作を監視する。これらのスイッチに対する操作が正常であれば、安定したオンオフ信号が観測され、しかもスイッチのオン（操作が有効の状態）が一定時間以上継続するはずである。これに対し、不正行為の場合には通常のスイッチの操作と異なるオンオフ信号が観測される（例えば、不正行為を短時間で済ませようとスイッチのオン状態が短かったり、不正操作の失敗により何度も繰り返しオン状態が発生したりすると考えられる）。好ましくは、正規の利用者（ホールの関係者）との間で設定変更の際は一定時間よりも長い間電源オフ等の操作をするように予め取り決めておく。
【００４２】
監視対象を電源スイッチ、設定キースイッチ又は設定変更スイッチとしたのは、これらがいずれも設定変更操作を行う際に不可欠なスイッチだからである。電源スイッチの操作は設定キースイッチの状態を読み取らせるために必要であり、設定キースイッチは設定変更モードにするために必要である。設定スイッチは設定値を選択する際に必要である。なお、設定スイッチの操作を行うＳ１１：内部設定の選択処理において、併せてＳ６及びＳ７の処理を行うことが望ましい。
【００４３】
Ｓ７：監視対象のスイッチが一定時間以上操作された場合（ＹＥＳ）は正常な操作と考えられるのでＳ１０以下の処理を行い、設定変更を受け付ける。そうでない場合（ＮＯ）は不正行為と考えられるのでＳ８、Ｓ９の処理を行う。
【００４４】
Ｓ８：エラー報知を行う。エラーの報知は、サブ基板２００−２で制御可能な図示しないランプやＬＥＤ，液晶表示装置の全部又は一部を発光あるいは点滅させたり、特定のパターンを点灯表示又は画像表示させることにより行ったり、図示しないスピーカを吹鳴若しくは、前記報知態様を任意に組合わせるさせることにより行う。これに代えてあるいはこれとともに外部へエラー信号を出力するようにしてもよい。このエラー信号は例えばホールのコンピュータで受信され、ホールの監視装置上にエラーを表示させる。
【００４５】
Ｓ９：エラー報知とともに遊技の受付を停止し、通常遊技をできなくする。例えばリセット信号を受けるまでＣＰＵが停止したり、リセット以外のスイッチの信号を読み取らないようにする。
【００４６】
Ｓ１０：正常な操作であれば、設定変更モードに移行する。図示しない表示部（例えば図柄表示窓の下側に設けられている）に現在の設定値が表示されている。
【００４７】
Ｓ１１：内部設定を選択する。内部設定は例えば１〜６段階に設定できる。設定スイッチ／リセットスイッチ２０５５を操作すると、表示される設定値が変化する。
【００４８】
Ｓ１２：スタートレバーを操作する。
【００４９】
Ｓ１３：これにより設定値が確定し、当該設定値が図示しない記憶部に記憶される。
【００５０】
Ｓ１４：設定キースイッチ２０５４をオフにする。表示器の設定値表示が消える。そしてＳ１５：通常遊技処理を実行する。
【００５１】
図７は、図６のＳ６及びＳ７の処理に代わる他に例を示す。図７は電源オンオフを、電源スイッチ２０５１の操作を直接監視するのではなく、電源電圧を監視することにより当該操作を監視するというものである。
【００５２】
Ｓ２０：電源電圧を監視する。例えば、電源電圧をデジタル値に変換してＣＰＵに読み込ませたり、電源オフを検出するために、電源電圧が閾値以下になったとき信号を発生する回路（コンパレータなど）の出力をＣＰＵに読み込ませる。電源オンを検出することも同様に可能である。
【００５３】
Ｓ２１：電源がオフになったかどうか判断する。電源オフとは、具体的には電源電圧が予め定めた電圧（閾値１）よりも低くなったときである。
Ｓ２２：電源オフ時の時刻データを保存する。例えば、電源オフになったときコンパレータの出力でＣＰＵに割り込みをかけ、リアルタイムクロック２００ｃの時刻データを読み、このデータを電源断時刻メモリ２００ｄに書き込む。
【００５４】
Ｓ２３：電源がオンになったかどうか判断する。電源オンとは、具体的には電源電圧が予め定めた電圧（閾値２）よりも高くなったときである。なお、電源オンにより自動的にＣＰＵが動作開始するように構成されている場合（例えばパワーオンリセット機能を備える場合）、Ｓ２３の処理を特に設ける必要はない。
【００５５】
Ｓ２４：電源がオンになり、ＣＰＵが初期動作を行う際にリアルタイムクロック２００ｃの時刻データを読み込む。このデータと電源断時刻メモリ２００ｄのデータを比較することにより電源オフから電源オンまでの時間を求める。なお、リアルタイムクロックの時刻データの読み込み完了までの処理時間等のために、ここで求めた時間は電源オフから電源オンまでの時間と正確には一致しないが、本発明の実施の形態では支障がない。処理時間等を考慮してＳ２５の閾値を定めればよい。
【００５６】
Ｓ２５：Ｓ２４で求めた時間を予め定めた値と比較する。電源オフから電源オンまでの時間が当該予め定めた値よりも大きければ（ＹＥＳ）、すなわち一定時間以上電源がオフになった後に電源がオンになったのであれば、一定時間以上操作されたとみなして図６のＳ１０以下の設定変更処理を行う。電源オフから電源オンまでの時間が当該予め定めた値よりも大きくないとき（ＮＯ）、図６のＳ８及びＳ９の処理を行う。
【００５７】
電源オフ時刻の記録方法の具体例について説明する。
（１）一定時間間隔で現在時刻を電源断時刻メモリ２００ｄに上書き記録する。電源オフによりＣＰＵが動作を停止した際にその最後の書き込み時刻（電源オフ時刻）が残る。この場合、電源オン時には図７の判定を行うまで電源断時刻メモリ２００ｄの書き込みを停止する。
（２）少なくとも電源オフ時刻書き込みに要する間、ＣＰＵ等を動作させることのできるバックアップ電源（電池など）を用意しておき、電源オフを検出したときバックアップ電源で電源オフ時刻の記録処理を行う。
【００５８】
設定変更は必ず電源オフ−オンの動作が発生する。営業中の不正行為は、何らかの方法で電源をオフにして設定変更を行うが、周囲に悟られないように電源オフの時間はできるだけ短く行っていると考えられる。そこで、サブ基板２００−２（あるいはメイン基板２００−１）で設定変更時の電源オフからオンまでの時間を測定し、電源オフ時間がある時間以内であれば不正行為としてエラー状態に移行するようにする。ホール側が行う通常の設定変更は十分長い時間電源をオフにすれば問題ない。また、監視時間及び監視を行うかどうかをホール側で任意に設定できるようにしてもよい。
【００５９】
この発明の実施の形態によれば、電源オフオン時間や設定スイッチの操作時間を監視することにより不正行為を識別し、営業中に行われる不正行為による設定変更を防止することができる。
【００６０】
図８を参照して正常な操作と不正な操作の具体的識別方法について説明する。図８は電源オフオン時の電源電圧のタイミングチャートであるが、電源スイッチや設定キースイッチ、設定スイッチの操作についても同様である。
【００６１】
図８（ａ）は正常な操作のタイミングチャートである。電源オフ時刻（符号Ａ）から電源オン時刻（符号Ｂ）までの時間は、予め定められた時間（設定変更受付可能時間）Ｔ１よりも長いので、図８（ａ）の設定変更コマンドは受け付けられる。正規の利用者との間で設定変更の際はＴ１よりも長い間電源をオフするように予め取り決めておく。Ｔ１は例えば５秒である。
【００６２】
図８（ｂ）は不正な操作のタイミングチャートである。正規の利用者であっても取り決めに反して操作するとこのケースに該当する。電源オフ時刻（符号Ｃ）から電源オン時刻（符号Ｄ）までの時間は、予め定められた時間（設定変更受付可能時間）Ｔ１よりも短いので、図８（ｂ）の設定変更コマンドは受け付けられず、エラー状態になる。
【００６３】
この場合、リトライ可能としてもよい。すなわち、符号Ｄにおいて直ちにエラー状態にせずに、予め定められた時間（再受付可能時間）Ｔ２の間監視を継続し、Ｔ２経過前に再度の電源オフ（符号Ｅ）があれば、電源オフ（符号Ｅ）と電源オン（符号Ｆ）までの時間を計測し、これがＴ１よりも長ければ設定コマンドを受け付ける。Ｔ２経過前に電源オフがなかったり、リトライ時の時間（ＥとＦの間）がＴ１より短いときは設定変更コマンドが受け付けられず、エラー状態になる。なお、リトライの回数は１回でもよいし、２回以上認めるようにしてもよい。リトライ可能とすれば、正規の利用者が操作をミスしたときでもエラー状態にすることなく設定変更が可能である。
【００６４】
図８（ｃ）は不正な操作のタイミングチャートである。電源オフ時刻（符号Ｇ）と電源オン時刻（符号Ｈ）の時間は予め定められた時間（設定変更受付可能時間）Ｔ１よりも短いが、これらの間に短い電源オンオフがある（符号Ｉ）。これはスイッチを直接操作するのではなく、スイッチの配線を不正にショートさせるときに不正な器具が配線から短時間離れるような場合に生じると考えられる。このような短い電源オンオフ（符号Ｉ）があっても、ＧとＨの間はＴ１より短いため図８（ｃ）の設定変更コマンドは受け付けられず、エラー状態になる。
【００６５】
図８（ｄ）は電源オフ時刻（符号Ｊ）と電源オン時刻（符号Ｋ）の時間は予め定められた時間（設定変更受付可能時間）Ｔ１よりも長いが、これらの間に短い電源オンオフがある（符号Ｌ）。電源オフ時刻（符号Ｊ）から電源オン時刻（符号Ｋ）までの時間は、予め定められた時間（設定変更受付可能時間）Ｔ１よりも長いので、図８（ｄ）の設定変更コマンドは受け付けられることになる。しかし、間に短い電源オンオフ（符号Ｌ）があるので図８（ａ）とは異なる基準で判断するとよい。いくつかの例を挙げる。
【００６６】
（１）短い電源オンオフ（符号Ｌ）は不正操作の際に発生すると考えられるから、短い電源オンオフ（符号Ｌ）が発生した場合、無条件でエラー状態とする。
（２）短い電源オンオフ（符号Ｌ）を無視して、符号Ｊと符号Ｋの時間で判断する。
（３）短い電源オンオフ（符号Ｌ）を電源オフの開始点とし、符号Ｌと符号Ｋの時間で判断する。例えば、短い電源オンオフ（符号Ｌ）で電源断時刻メモリの内容をクリアし、その後の電源オフで再び時刻データを書き込む。
【００６７】
発明の実施の形態２．
発明の実施の形態１において、図６のＳ５に示すように設定変更監視のオンオフの切り替えが可能であった。本発明の実施の形態２は、設定変更監視のオンオフを時間帯によって切り替えるものである。
【００６８】
図９は発明の実施の形態２に係るスロットマシンの機能ブロック図を示す。
図９において、電源部２０５には、設定変更監視を行う時間帯（この時間帯において原則として設定変更を認めないか、認めるとしても発明の実施の形態１で説明したように各スイッチを一定時間以上操作することを前提として設定変更を認める。この意味で当該時間帯は設定変更を原則禁止しているといえる。そこで、以下、当該時間帯を設定変更禁止時間帯と呼ぶことにする）の設定をオンオフする設定変更禁止時間帯スイッチ２０５ｂが設けられている。設定変更禁止時間帯スイッチとして電源部２０５のパネルに新たに専用のスイッチを設けてもよいが、電源部２０５のパネルにある既存のスイッチ、例えば打ち止めスイッチ２０５３、設定キースイッチ２０５４、設定変更／リセットスイッチ２０５５などを利用してもよい。あるいは、図９の設定変更禁止時間帯スイッチ２０５ｂに代えて操作部２０２のスイッチ類を利用してもよい。なお、設定変更禁止時間帯スイッチ２０５ｂに時刻を数値で入力するダイヤル式のスイッチなどを用い、時刻設定機能を併せ持たせてもよい。
【００６９】
２１２は設定変更を禁止する時間帯に関する情報を予め記憶している設定変更時間帯記憶部である。２１３は、設定変更を禁止する時間帯の設定がオンであるとき、すなわち設定変更時間帯記憶部２１２のテーブルを参照して設定変更の許可又は不許可を判断する場合に、当該判断を行う設定変更時間帯判断部である。なお、設定変更時間帯記憶部２１２はメイン基板２００−１やサブ基板２００−２と独立したメモリ（例えばＥＥＰＲＯＭ）で実現されてもよいし、メイン基板２００−１やサブ基板２００−２上のメモリで実現されてもよい。また、リアルタイムクロック２００ｃと設定変更時間帯判断部２１３はメイン基板２００−１やサブ基板２００−２と独立したハードウエアで実現されてもよいし、メイン基板２００−１やサブ基板２００−２のＣＰＵによりソフトウエアで実現されてもよい。
【００７０】
次に発明の実施の形態２に係る装置／方法について説明する。
【００７１】
本発明の実施の形態２の要点は、設定変更を禁止できる時間帯を予め設定し、その時間帯を監視することで、営業中に行われる不正行為による設定変更を防止するものである。すなわち、通常、設定変更はホール営業前もしくは営業後に行われる。そこで、予め営業時間中に当たる時間帯を設定変更不可時間帯として設定し、その時間帯に設定変更が行われた場合には不正行為と判断し、明示的にエラー状態を表現するものである。ただし、各スイッチを一定時間以上操作するのであれば例外的に設定変更は認められる。
【００７２】
制御部２００のＣＰＵが実行する具体的な手順について、図１０のフローチャートを参照して説明する。
【００７３】
Ｓ３０：電源部２０５の電源スイッチ２０５１をオンにする。これにより、メイン基板２００−１及びサブ基板２００−２に通電が開始される。
【００７４】
Ｓ３１：設定変更時間帯を設定するか否かを決定する。この設定は、例えば次のように行う。下記の（１）〜（４）のひとつ又は複数を選択できる。
（１）電源投入時に設定変更禁止時間帯スイッチ２０５ｂを有効又は設定キースイッチ２０５４をオンにしておく。設定変更禁止時間帯スイッチ２０５ｂが無効又は設定キースイッチ２０５４がオフであるときは設定変更時間帯に基づく許可又は不許可の判断を行わない。
（２）設定変更／リセットスイッチ２０５５をＯＮにしておく。設定変更／リセットスイッチ２０５５がＯＦＦのときは設定変更時間帯に基づく許可又は不許可の判断を行わない。
（３）又は打ち止めスイッチ２０５３をＯＮにしておく。打ち止めスイッチ２０５３がＯＦＦのときは設定変更時間帯に基づく許可又は不許可の判断を行わない。なお、後述のように打ち止めスイッチ２０５３で、設定変更時間帯の設定モードに入る又は入らないを切り替えるようにしてもよい。
（４）電源投入後一定時間内に操作部２０２のスイッチ、例えばスタートバー、ストップスイッチ、ベットスイッチの全部又は一部を特定の順序で押すことにより、設定変更時間帯に基づく許可又は不許可の判断を行うようにする。例えば、ストップスイッチ１４０の第１、第２又は第３ストップスイッチをこの順番で押すことにより設定を行ってもよい。さらに、操作部２０２の所定のスイッチを押しながら電源を投入することにより、設定変更時間帯に基づく許可又は不許可の判断を行うようにすることも可能である。
【００７５】
（２）乃至（４）のように既設のスイッチを利用して上記設定を行うことができる。あるいは（１）のように新たな設定用スイッチを増設することも勿論可能である。
【００７６】
本願発明の実施の形態２では、例えば営業時間中に設定変更ができないように監視するが、必要に応じてこの監視を解除する場合には、設定変更不可時間帯を設定しない、すなわち、本発明の実施の形態２による不正行為防止方法を実行しない設定をすることが可能である。また、一旦行った不正行為防止方法を行う設定を解除する場合には、電源をオフにしてから再設定をするか、所定のスイッチ操作を定める等により行ってもよい。
【００７７】
Ｓ３２：設定変更時間帯を設定する。すなわち、設定変更時間帯記憶部２１２に設定変更不可時間帯を設定する。そして内部設定処理（図５の処理）に進む。
【００７８】
設定変更許可時間帯を設定する手順は例えば次の通りである。
（１１）電源投入時に打ち止めスイッチ２０５３をONにしておくと、設定変更許可時間帯の設定モードに入る。上記（１）（２）（４）の例において、電源投入時に打ち止めスイッチ２０５３をOＦＦにしておくと設定変更許可時間帯の設定モードに入らない。この場合、記憶部２１２に既に記憶されているテーブルに基づいて設定変更時間帯判断部２１３で判断される。
（１２）設定変更許可時間帯の設定モードに入ったら、スタートレバー１３４を押すことにより当該時間帯の開始時間を変更する（デジタル時計の設定と同様）。設定内容は演出表示部の液晶表示装置に表示される。あるいは、何時かに応じて表示部のランプが所定回数点滅する。ストップスイッチ１４０を押すことにより開始時間を変更してもよい。このとき、第１、第２，第３ストップスイッチをそれぞれ日（曜日）、時、分の設定スイッチにしてもよい。
（１３）スタートレバー１３４を再度押すことにより当該時間帯の終了時間を変更する。変更のやり方は（１２）の場合と同様である。
（１４）スタートレバーを再度押すことにより本設定変更手順を終了する。
【００７９】
（１１）乃至（１４）は一例であり、本発明はこれに限定されないのは言うまでもない。
なお、設定変更時間帯に基づく許可又は不許可の判断を行うが、設定変更許可時間帯の変更をスキップする（記憶部２１２に既に記憶されているテーブルに基づいて判断する）ようにしてもよく、図１０のＳ３１とＳ３２の間に設定変更許可時間帯の変更を行うかどうかを判定する処理を設けてもよい。
【００８０】
図１１は、記憶部２１２に既に記憶されている設定変更時間帯テーブル、すなわち設定変更不可時間帯及び設定変更可能時間帯の設定の一例を示す概略図である。通常、設定変更はホールの営業開始前又は営業終了後に行われる。そこで、図１１に示すように、ホールの営業中に当たるホールの開店時間及びその前後を設定変更不可時間帯Ａに設定し、それ以外の時間を設定変更可能時間帯Ｂに設定する。
【００８１】
図６のＳ５の処理に代えて、図１０のＳ３３の処理を行う。
Ｓ３３：受信した設定変更要求が設定変更不可時間帯Ａか、設定変更可能時間帯Ｂかを判断する。設定変更要求を受信した時刻はリアルタイムクロック２００ｃにより特定できるので、この時刻と設定変更時間帯記憶部２１２で予め設定された時刻とを設定変更時間帯判断部２１３で比較する。
【００８２】
上記時刻が設定変更可能時間帯Ｂの範囲内であれば、正規な設定変更処理であると判断して、図６のＳ１０へ進み設定変更時の処理を行う。
【００８３】
これに対して、上記時刻が設定変更不可時間帯Ａの範囲内であれば、図６のＳ６に進み、各スイッチを一定時間以上操作することを前提として設定変更を認める。
【００８４】
発明の実施の形態２に係る遊技機及び不正行為防止方法によれば、設定変更を禁止する時間帯を設定し、設定変更が行われる時刻を監視することにより、予め定められた適正な時間帯においてのみ設定変更を行うようにする。これにより通常設定変更が行われることのない営業時間中に設定変更操作がなされた場合には各スイッチを一定時間以上操作したときに限って設定変更を認める。したがって、営業時間での不正な設定変更は困難になり、不正行為を効果的に防止することができる。
【００８５】
なお、リアルタイムクロック２００ｃに時刻機能とともに、曜日や年月日に関するカレンダー機能を持たせ、内部動作に関する設定変更の可能又は不可能に係る情報として、設定変更時間帯記憶部２１２に時刻とともに曜日や年月日に関する情報も記憶させるようにしてもよい。設定変更時間帯判断部２１３は時刻とともに曜日や年月日についても比較判断する。このように構成することにより、設定変更不可時間帯の情報を曜日、年月日などの情報を含むカレンダー情報と連動させることができ、これによって長期的な設定変更時間帯の監視が可能となる。
【００８６】
図１２は、１週間単位で設定変更時間帯を設定する場合を示す図である。図において、設定変更不可時間帯Ａ及び設定変更可能時間帯Ｂを１週間単位で管理し、例えば月曜日が定休日の場合、ホール閉店時間と同様に設定変更可能時間帯Ｂとして設定することができる。この場合、月曜日全体を設定変更可能時間帯Ｂとして設定することも、その一部の時刻を設定変更可能時間帯Ｂとして設定することもできる。また、定休日以外の曜日全体を設定変更不可時間帯Ａとするようにしてもよい。さらに、図１３は、１ヶ月単位で設定変更時間帯を設定する場合を示す図である。図において、設定変更不可時間帯Ａ及び設定変更可能時間帯Ｂを１ヶ月単位で管理し、例えば月曜日が定休日の場合、ホール閉店時間と同様に設定変更可能時間帯Ｂとして設定することができる。定休日以外の曜日全体を設定変更不可時間帯Ａとするようにしてもよい。また、図１３における３１日は臨時休業の日であり、設定変更可能時間帯Ｂ（図中、「可※」で示す）として設定することができる。このような１ヶ月単位で設定変更時間帯の設定を１年単位又はそれ以上の年、月、日で行うことも可能である。
【００８７】
なお、上述した例では、休日を設定変更可能時間帯Ｂとして設定する場合について説明したが、ホールの状況等に応じて、適宜休日を設定変更不可時間帯Ａと設定することも勿論可能である。
【００８８】
本発明は、以上の実施の形態に限定されることなく、特許請求の範囲に記載された発明の範囲内で、種々の変更が可能であり、それらも本発明の範囲内に包含されるものであることは言うまでもない。
【００８９】
また、本明細書において、部とは必ずしも物理的手段を意味するものではなく、各部の機能が、ソフトウェアによって実現される場合も包含する。さらに、一つの部の機能が、二つ以上の物理的手段により実現されても、若しくは、二つ以上の部の機能が、一つの物理的手段により実現されてもよい。
【図面の簡単な説明】
【００９０】
【図１】前扉を閉めた状態を示すスロットマシンの正面図である。
【図２】前扉を１８０度開いた状態を示すスロットマシンの正面図である。
【図３】スロットマシンの電源部のパネルの詳細図である。
【図４】発明の実施の形態１に係るスロットマシンの機能ブロック図である。
【図５】発明の実施の形態１に係るスロットマシンの他の機能ブロック図である。
【図６】発明の実施の形態１に係るスロットマシンの設定変更動作のフローチャートである。
【図７】発明の実施の形態１に係るスロットマシンの電源電圧監視処理フローチャートである。
【図８】発明の実施の形態１に係るスロットマシンの監視動作の説明図（タイミングチャート）である。
【図９】発明の実施の形態２に係るスロットマシンの機能ブロック図である。
【図１０】発明の実施の形態２に係るスロットマシンの設定変更時刻監視処理フローチャートである。
【図１１】発明の実施の形態２に係るスロットマシンにおける設定変更不可時間帯の１つの設定例を示す。
【図１２】発明の実施の形態２に係る１週間単位で設定変更時間帯を設定する場合を示す図である。
【図１３】発明の実施の形態２に係る１ヶ月単位で設定変更時間帯を設定する場合を示す図である。
【符号の説明】
【００９１】
１        メダルセレクタ
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    制御部
２００−１    メイン基板
２００−２    サブ基板
２００ａ  設定変更処理部
２００ｂ  設定変更操作監視部
２００ｃ  タイマー（リアルタイムクロック）
２００ｄ  電源断時刻メモリ
２００ｅ  エラー報知部
２０２    操作部
２０３    リールユニット
２０５    電源部
２０５ｂ  設定変更禁止時間帯スイッチ
２１２    設定変更時間帯記憶部
２１３    設定変更時間帯判断部
２０５１  電源スイッチ
２０５２  電源部パイロットランプ
２０５３  打ち止め有無スイッチ
２０５４  設定キースイッチ
２０５５  設定変更／リセットスイッチ
２０５６  ＡＣ１００Ｖパイロットランプ
２０５７  ＡＣ電源出力及び電源ケーブル
【図１】
2005192723.tif 000003
【図２】
2005192723.tif 000004
【図３】
2005192723.tif 000005
【図４】
2005192723.tif 000006
【図５】
2005192723.tif 000007
【図６】
2005192723.tif 000008
【図７】
2005192723.tif 000009
【図８】
2005192723.tif 000010
【図９】
2005192723.tif 000011
【図１０】
2005192723.tif 000012
【図１１】
2005192723.tif 000013
【図１２】
2005192723.tif 000014
【図１３】
2005192723.tif 000015